(57)【特許請求の範囲】
【請求項１】
少なくとも前後一対の針床を備え、前後の針床間で編目の目移しが可能な横編機を用いて、前後一方の針床に係止される一側編地部と、他方の針床に係止される他側編地部とからなる筒状編地を編成する過程で、筒状編地における針床長手方向の端部よりも外側に増し目を形成するための筒状編地の外増やし方法であって、
前記針床長手方向に沿った給糸口の移動方向のうち、増し目を形成する予定の位置から筒状編地に向かう方向を内方、その反対の方向を外方としたとき、
前記一側編地部のウエール方向に続く新たな編目列αを編成した直後、給糸口を外方に移動させる間に、前記他側編地部が係止される他方の針床の編針のうち、前記編目列αの終端の編目と同じ側にある他側編地部の端部の編目よりも外方側に位置する空針に、増し目となる第一掛け目を形成する工程Ａと、
給糸口を内方に移動させる間に、前記他方の針床の編針のうち、前記第一掛け目よりも外方側に位置する空針に、増し目となる第二掛け目を形成する工程Ｂと、
前記第二掛け目を形成した後に、前記他側編地部のウエール方向に続く新たな編目列βを編成する工程Ｃと、
前記編目列αと第一掛け目のウエール方向に続く新たな編目列γを編成すると共に、編目列βと第二掛け目のウエール方向に続く新たな編目列δを編成する工程Ｄと、を備え、
工程Ｃにおける編目列βの始端の編目を形成した後であって、工程Ｄにおける第一掛け目のウエール方向に続く新たな編目を形成するまでの間に、前記一方の針床の編針のうち、前記編目列αの終端の編目よりも外方側の空針に第一掛け目を目移ししておくことを特徴とする筒状編地の外増やし方法。
【請求項２】
少なくとも前後一対の針床と、各針床に複数配置される編針に編糸を給糸させる給糸口とを備える横編機を用いて編成された筒状編地であって、
前後の編地部の境界部分に、編幅方向に連続して形成された二つの増し目を備え、
二つの増し目のうち、一方の増し目が、捻れ目となっており、かつ、その捻れ目のシンカーループの一つが、他方の増し目の根元に巻き付いていることを特徴とする筒状編地。
【発明の詳細な説明】
【技術分野】
【０００１】
本発明は、横編機を用いた編地の編成の際、針床に係止される筒状編地の針床長手方向の端部よりも外側に増し目を形成する筒状編地の外増やし方法、およびその方法を適用して編成された筒状編地に関する。なお、本発明における筒状編地には、カーディガンの胴部のように筒の一部が繋がっていない編地も含まれる。
【背景技術】
【０００２】
従来から、横編機で筒状編地を編成する過程で、筒状編地を所望の形状に編成するために、増し目を形成する場合がある。このような増し目を形成する方法として、針床に係止される筒状編地における針床長手方向の端部の外側にある空針に掛け目を形成して編幅を増加させる筒状編地の外増やし方法が知られている。
【０００３】
しかし、通常の筒状編地の外増やし方法では、空針に給糸することにより掛け目からなる増し目を形成することになるので、増し目の形成箇所に孔が発生し易い。そこで、本出願人は、増し目の形成箇所における孔を目立たなくする筒状編地の外増やし方法として、特許文献１に示す方法を提案している。
【０００４】
図３は、互いに対向する前後一対の針床を備える２枚ベッド横編機を用いて、特許文献１に記載される筒状編地の外増やし方法を実施するための編成工程図である。図３の編成工程図において、図中左側のアルファベット＋数字は工程番号を示し、左右方向の矢印は給糸口の移動方向を、上下方向の矢印は目移しの方向を示す。また、図中のＡ〜Ｎは、前針床（以下ＦＢ）、および後針床（以下ＢＢ）の編針（図中の黒点）の位置を、▼は給糸口を、Ω印は編目を、Ｖ印は掛け目を示し、各編成工程で実際に行われた動作は太線で示す。さらに、図中には、増し目となる掛け目とその近傍にある一部の編目について、その形成順に符号１１〜１９を付している。なお、図３では、説明の便宜上、編針の数を実際の編成で使用する数より少なくし、すべて天竺で編成するものとする。
【０００５】
Ｔ０には、ＦＢの編針Ｃ，Ｅ，Ｇ，Ｉ，Ｋと、ＢＢの編針Ｄ，Ｆ，Ｈ，Ｊ，Ｌに筒状編地が係止された状態が示されている。この状態から以降の編成では時計回りに周回編成を行いつつ、筒状編地の編幅の外方側（紙面左側）に増し目を形成する。
【０００６】
まず、給糸口を紙面左側に移動させる間に、ＦＢの編針Ｋ，Ｉ，Ｇ，Ｅ，Ｃに編目を形成し、Ｔ０でＦＢに係止される筒状編地の前側編地部のウエール方向に続く新たな編目列εを編成した後、その編目列εよりも外方側にあるＦＢの編針Ｂに掛け目１４を形成する（Ｔ１）。次いで、給糸口を紙面右側に移動させる間に、ＢＢの編針Ｄ，Ｆ，Ｈ，Ｊ，Ｌに編目を形成することで、Ｔ０でＢＢに係止される筒状編地の後側編地部のウエール方向に続く新たな編目列ζを形成する（Ｔ２）。
【０００７】
さらに、給糸口を紙面左側に移動させる間に、ＦＢの編針Ｋ，Ｉ，Ｇ，Ｅ，Ｃに編目を形成することで、Ｔ１でＦＢに形成した編目列εのウエール方向に続く新たな編目列ηを形成した後、Ｔ２でＦＢの編針Ｂに形成した掛け目１４よりも外方側にあるＦＢの編針Ａに掛け目１７を形成する（Ｔ３）。次いで、Ｔ１で形成した掛け目１４を対向するＢＢの編針Ｂに目移しする（Ｔ４）。そして、給糸口を紙面右側に移動させる間に、Ｔ４で目移しした掛け目１４に続く新たな編目１８を形成した後、ＢＢの編針Ｄ，Ｆ，Ｈ，Ｊ，Ｌに編目を形成することで、Ｔ２でＢＢに形成した編目列ζのウエール方向に続く新たな編目列θを形成する。
【０００８】
以上説明した編成工程を経て得られた図３のＴ５に示される筒状編地を、筒の外側から見たループ図を、図４に示す。なお、この図４では、図３で符号を付して特定した掛け目や編目に対応する編目に同一の符号を付している。
【０００９】
図４に示される筒状編地では、図１のＴ１でＦＢの編針Ｂに形成され、Ｔ４で目移しされた掛け目１４が、捻られた状態で増し目１４となっており、またＴ３で形成された掛け目１７が、増し目１４に掛かるように増し目１７となっており、２コースにつき２目分、編幅が増している。ここで、二つの増し目１４，１７のうち、一方の増し目１４を捻れ目とすることで、この捻れ目１４を挟む２つの編目１３，１５の間隔が詰まるので、当該増し目１４の形成箇所に生じる孔を目立たなくすることができる。
【先行技術文献】
【特許文献】
【００１０】
【特許文献１】特許第２８９６５００号公報
【発明の概要】
【発明が解決しようとする課題】
【００１１】
しかし、特許文献１の方法では、編成に使用する編糸の種類や、当該増し目の形成箇所近傍の編組織によって孔空きを目立たなくする効果が十分でない場合もあり、より効果的に孔空きを目立たなくすることができる筒状編地の外増やし方法の開発が望まれている。
【００１２】
本発明は上記事情に鑑みてなされたものであり、その目的の一つは、従来よりも効果的に孔空きを目立たなくすることができる筒状編地の外増やし方法、およびその外増やし方法を適用して編成された筒状編地を提供することにある。
【課題を解決するための手段】
【００１３】
本発明筒状編地の外増やし方法は、少なくとも前後一対の針床を備え、前後の針床間で編目の目移しが可能な横編機を用いて、前後一方の針床に係止される一側編地部と、他方の針床に係止される他側編地部とからなる筒状編地を編成する過程で、筒状編地における針床長手方向の端部よりも外側に増し目を形成するための筒状編地の外増やし方法であって、前記針床長手方向に沿った給糸口の移動方向のうち、増し目を形成する予定の位置から筒状編地に向かう方向を内方、その反対の方向を外方としたとき、以下の工程を備える。
［工程Ａ］  前記一側編地部のウエール方向に続く新たな編目列αを編成した直後、給糸口を外方に移動させる間に、前記他側編地部が係止される他方の針床の編針のうち、前記編目列αの終端の編目と同じ側にある他側編地部の端部の編目よりも外方側に位置する空針に、増し目となる第一掛け目を形成する。
［工程Ｂ］  給糸口を内方に移動させる間に、前記他方の針床の編針のうち、前記第一掛け目よりも外方側に位置する空針に、増し目となる第二掛け目を形成する。
［工程Ｃ］  前記第二掛け目を形成した後に、前記他側編地部のウエール方向に続く新たな編目列βを編成する。
［工程Ｄ］  前記編目列αと第一掛け目のウエール方向に続く新たな編目列γを編成すると共に、編目列βと第二掛け目のウエール方向に続く新たな編目列δを編成する。
そして、本発明筒状編地の外増やし方法は、工程Ｃにおける編目列βの始端の編目を形成した後であって、工程Ｄにおける第一掛け目に続く新たな編目を形成するまでの間に、前記一方の針床の編針のうち、前記編目列αの終端の編目よりも外方側の空針に第一掛け目を目移ししておくことを特徴とする。
【００１４】
ここで、本発明筒状編地の外増やし方法における第一掛け目を目移しするタイミングは、編目列βの始端の編目を形成した後で、第一掛け目のウエール方向に続く新たな編目を形成するまでの間であれば何時行ってもかまわない。代表的には、後述する実施形態で示すように、工程Ｃの後であって、工程Ｄの前とすることが挙げられる。その他、上記タイミングを満たすのであれば、工程Ｃや工程Ｄの途中で第一掛け目の目移しを行っても良い。
【００１５】
また、工程Ｄにおける編目列γと編目列δの形成は、どちらを先に行っても良い。この点は、後述する実施形態の最後に述べる。
【００１６】
一方、本発明筒状編地は、少なくとも前後一対の針床と、各針床に複数配置される編針に編糸を給糸させる給糸口とを備える横編機を用いて編成された筒状編地であって、前後の編地部の境界部分に、編幅方向に連続して形成された二つの増し目を備える。そして、これら二つの増し目のうち、一方の増し目が、捻れ目となっており、かつ、その捻れ目のシンカーループの一つが、他方の増し目の根元に巻き付いていることを特徴とする。
【発明の効果】
【００１７】
本発明筒状編地の外増やし方法によれば、編幅方向に連続して形成された二つの増し目を備える本発明筒状編地を編成することができる。この本発明筒状編地では、二つの増し目のうち、一方の増し目が捻れ目になっているため、それら増し目近傍にある編目が詰んだ状態になる。しかも、その捻れ目のシンカーループの一つが、他方の増し目の根元に巻き付いているため、筒状編地を編幅方向に引っ張ったときに、両増し目が一体となって動き易く、両増し目の間隔が開き難い。これらのことから、本発明筒状編地では、増し目の形成箇所において孔が空いたようになり難い。
【図面の簡単な説明】
【００１８】
【図１】実施形態に示す本発明筒状編地の外増やし方法についての編成工程図である。
【図２】図１の編成工程に従って編成した筒状編地における増し目の形成箇所近傍のループ図である。
【図３】従来の筒状編地の外増やし方法についての編成工程図である。
【図４】図３の編成工程に従って編成した筒状編地における増し目の形成箇所近傍のループ図である。
【発明を実施するための形態】
【００１９】
以下、左右方向に延び、かつ、前後方向に互いに対向する前後一対の針床を有し、前後の針床間で編目の目移しが可能な２枚ベッドの横編機を用いた本発明の実施形態を図１，２に基づいて説明する。もちろん、２枚ベッドの横編機の他に、トランスファージャックベッドを備える横編機や、４枚ベッドの横編機を使用することもできる。
【００２０】
図１に示す本発明筒状編地の外増やし方法に係る編成工程図の見方は、上述した従来図の図３と同様である。但し、増し目となる掛け目とその近傍にある一部の編目については、その形成順に符号１〜１０を付している。
【００２１】
まず、図１のＳ０には、ＢＢ（一方の針床）の編針Ｄ，Ｆ，Ｈ，Ｊ，Ｌに筒状編地の後側編地部（一側編地部）が係止され、ＦＢ（他方の針床）の編針Ｃ，Ｅ，Ｇ，Ｉ，Ｋに筒状編地の前側編地部（他側編地部）が係止された状態が示されている。この状態から以降の編成では反時計回りに周回編成を行いつつ、筒状編地の編幅の外側（紙面左側）に増し目を形成する。
【００２２】
まず、Ｓ１では、給糸口を紙面左側に移動させる間に、ＢＢの編針Ｌ，Ｊ，Ｈ，Ｆ，Ｄに編目を形成した後、ＦＢの編針Ｂに第一掛け目４を形成する。給糸口は、次のＳ２に備え、編針Ａよりも外方側に位置させておく。このＳ１により、Ｓ０でＢＢに係止される筒状編地の後側編地部のウエール方向に続く新たな編目列αが形成される。また、Ｓ１で形成される第一掛け目４は、Ｓ０でＦＢの編針Ｃに係止される前側編地部の端部の編目２よりも外側（筒状編地から離れる外方側）に係止される。
【００２３】
次のＳ２では、給糸口を紙面右側、つまり筒状編地に向かう内方側に移動させる間に、ＦＢの編針Ａに第二掛け目５を形成した後、ＦＢの編針Ｃ，Ｅ，Ｇ，Ｉ，Ｋに編目を形成する。このＳ２により、Ｓ０でＦＢに係止される筒状編地の前側編地部のウエール方向に続く新たな編目列βが形成される。また、Ｓ２で形成される第二掛け目５は、Ｓ１で形成した第一掛け目４よりも外側に係止され、この第二掛け目５と編目列βの端部の編目６とを繋ぐ編糸が、第一掛け目４を跨ぐ。
【００２４】
Ｓ３では、Ｓ１でＦＢの編針Ｂに形成した第一掛け目４を、編目列αの終端の編目３よりも外方側にあるＢＢの編針Ｂに目移しする。この目移しにより、第一掛け目４は、第二掛け目５と編目列βの編目６とを繋ぐ編糸に対して、紙面奥側から手前側に引き出された編目のような状態となる。なお、Ｓ３の第一掛け目４の目移しは、Ｓ２における編目列βの始端の編目６を編成した後であって、次のＳ４における第一掛け目４に続く新たな編目８を編成する前であれば、何時行っても良い。
【００２５】
Ｓ４では、給糸口を紙面左側に移動させる間に、ＢＢの編針Ｌ，Ｊ，Ｈ，Ｆ，Ｄに係止される編目からなる編目列αと、ＢＢの編針Ｂに係止される第一掛け目４のウエール方向に続く新たな編目列γを編成する。給糸口は、次のＳ５に備え、編針Ａよりも外方側に位置させておく。
【００２６】
最後に、Ｓ５では、給糸口を紙面右側に移動させる間に、ＦＢの編針Ａに係止される第二掛け目５と、ＦＢの編針Ｃ，Ｅ，Ｇ，Ｉ，Ｋに係止される編目からなる編目列のウエール方向に続く新たな編目列δを編成する。
【００２７】
以上説明した編成工程を経て得られた図１のＳ５に示される筒状編地を、筒の外側から見たループ図を、図２に示す。図２に示される筒状編地では、編幅方向に連続して二つの増し目４，５が形成されることで、２コースあたり２目分、編幅が増している。この二つの増し目４，５のうち、一方の増し目５が捻れ目になっているため、それら増し目４，５を含む、増し目４，５の近傍にある編目１〜１０が詰んだ状態になる。しかも、その捻られた増し目５のシンカーループの一つが、他方の増し目４の根元に巻き付いているため、筒状編地を編幅方向に引っ張ったとしても、増し目４，５が一体となって移動し易く、両増し目４，５の間隔が開き難い。これらの結果、図２に示される筒状編地では、増し目４，５の形成箇所において孔が空いたようになり難い。
【００２８】
なお、本発明は、上述した実施形態に限定されるわけではなく、本発明の要旨を逸脱しない範囲で上述した実施形態を適宜変更して実施することができる。例えば、上述した実施形態では、説明の便宜上、全ての編地部を天竺編みとしたが、これらの編地部を組織柄にすることもできる。
【００２９】
その他、編成する筒状編地は、カーディガンの胴部のように筒の一部が繋がっていない編地であっても良い。例えば、図１のＳ０において、紙面右側の前側編地部と後側編地部とが繋がっていない筒状編地を編成する場合、まず図１のＳ１〜Ｓ３と同様の編成を行う。次いで、Ｓ３の次の工程として、給糸口を紙面左方向に移動させる間に、ＦＢの編針Ｋ，Ｉ，Ｇ，Ｅ，Ｃ，Ａに編目を形成することで、編目列βのウエール方向に続く編目列δを編成する。そして、給糸口を紙面右方向に移動させる間に、ＢＢの編針Ｂ，Ｄ，Ｆ，Ｈ，Ｊ，Ｌに編目を形成することで、編目列αのウエール方向に続く編目列γを編成する。
【符号の説明】
【００３０】
１，２，３，６，７，８，９，１０  編目
４  第一掛け目（増し目）
５  第二掛け目（増し目）
１１，１２，１３，１５，１６，１８，１９  編目
１４  掛け目（増し目）
１７  掛け目（増し目）
α，β，γ，δ，ε，ζ，η，θ  編目列
【図１】
0005698482.tif 000002
【図２】
0005698482.tif 000003
【図３】
0005698482.tif 000004
【図４】
0005698482.tif 000005